(57)【特許請求の範囲】
【請求項１】
記録再生装置で使用される両面記録媒体が収納されたカートリッジであって、
前記記録再生装置は、
表裏両面に情報の記録が可能であり、かつ、可撓性を有する両面記録媒体に対して情報の記録または再生を行うものであるとともに、
前記両面記録媒体を回転駆動する回転駆動手段と、
前記両面記録媒体の両面にそれぞれ対向するように配され、光源からの光を該両面記録媒体上に集光する一対の集光手段と、
前記一対の集光手段のそれぞれと前記両面記録媒体との間に配され、該一対の集光手段のそれぞれに直接的または間接的に固定された一対の安定化板とを備えており、
前記一対の安定化板は、透明であるとともに、前記光の光路上に開口部が設けられていないものであり、
前記両面記録媒体の両面にそれぞれ対向するように配された一対の安定化板が、前記カートリッジの２つの壁面で構成され、前記両面記録媒体と前記カートリッジの２つの壁面との距離が、それぞれ１０μｍ以上２００μｍ以下であることを特徴とする両面記録媒体のカートリッジ。
【請求項２】
表裏両面に情報の記録が可能であり、かつ、可撓性を有する両面記録媒体に対して情報の記録または再生を行う記録再生装置において、
前記両面記録媒体を回転駆動する回転駆動手段と、
前記両面記録媒体の両面にそれぞれ対向するように配され、光源からの光を該両面記録媒体上に集光する一対の集光手段と、
前記一対の集光手段のそれぞれと前記両面記録媒体との間に配され、該一対の集光手段のそれぞれに直接的または間接的に固定された一対の安定化板とを備えており、
前記両面記録媒体は、カートリッジに収納されており、前記両面記録媒体の両面にそれぞれ対向するように配された一対の安定化板が前記カートリッジの２つの壁面で構成されており、前記両面記録媒体と前記カートリッジの２つの壁面との距離が、それぞれ１０μｍ以上２００μｍ以下であり、
前記両面記録媒体が前記カートリッジに収納された状態で前記記録再生装置で使用されることを特徴とする記録再生装置。
【発明の詳細な説明】
【０００１】
【発明の属する技術分野】
本発明は、表裏両面に高密度な情報の記録が可能であり、かつ、可撓性を有する光ディスク等の両面記録媒体に対して情報の記録または再生を行う記録再生装置、および、該両面記録媒体のカートリッジに関する。
【０００２】
なお、ここで「記録再生装置」とは、記録および再生の少なくとも一方を行う装置を意味する。
【０００３】
【従来の技術】
記録媒体である光ディスクの高密度化を実現するため、光ディスク上に集光される光ビームスポット径を小さくすることが必要となる。そのためには、記録再生（「記録および／または再生」の意味。以下同じ）に使用する光の波長を短くすることと、対物レンズの開口数ＮＡを大きくすることが有効である。しかし、光の波長を短くしたり、対物レンズの開口数ＮＡを大きくすると、光ディスク基板が傾くことにより、大きなコマ収差が発生し、光ビームを精度良く集光することができなくなってしまう。
【０００４】
これを補うために、光ディスク基板の薄型化が進められてきた。例えば、ＣＤ−ＲＯＭの場合、対物レンズの開口数ＮＡが０．４５であり、光の波長が７８０ｎｍであり、基板の厚さが１．２ｍｍであるのに対して、対物レンズの開口数ＮＡが０．６であり、光の波長が６５５ｎｍであるＤＶＤ−ＲＯＭにおいては、基板の厚さを０．６ｍｍとして、記録容量の増大と光ディスク基板の傾きに対する許容量の拡大とを図っている。
【０００５】
しかしながら、さらに光ディスク基板が薄くなると、剛性の低下により光ディスク基板自体の面振れにともなう基板の傾きが大きくなり逆効果となる。したがって、光の波長を短くすることと、対物レンズの開口数ＮＡを大きくすることには限界がある。
【０００６】
特開平１０−３０８０５９号公報には、光の波長を短くし、対物レンズの開口数ＮＡを大きくすることを目的として、図１３に示すような可撓性を有するディスク基板を用いた光ディスク記録再生装置が提案されている。
【０００７】
上記装置は、可撓性を有する光ディスク１０１に対して記録再生を行う記録再生装置に、光ディスク１０１の回転状態を安定化させる安定化板１０２を設け、光ピックアップ１０３からの光ビームが光ディスク１０１上に集光照射される構成になっている。この構成によれば、光の波長が６５０ｎｍ以下であり、対物レンズ群１０２の開口数ＮＡが０．７以上である記録再生装置での記録再生が実現可能とされている。
【０００８】
さらに、上記公報には、図１４に示すように、安定化板１０２をディスクカートリッジ１０６と一体的に構成することが提案されている。この場合、光ピックアップ１０３は、ディスクカートリッジ１０６の図示しない開口部から挿入されることになる。
【０００９】
【発明が解決しようとする課題】
上記公報によれば、図１３に示される構成では、センターハブ１０４に固定された可撓性を有する光ディスク１０１が、スピンドル１０５により回転駆動されることにより、可撓性を有する光ディスク１０１と安定化板１０２とにより挟まれる空間が減圧状態となり、光ディスク１０１が安定化板１０２に吸い寄せられ、安定化板１０２と一定の間隔を保ちながら安定して回転することが可能となり、光ディスク１０１の回転時の面振れが抑制されることにより、良好な記録再生が行われるものである。
【００１０】
しかしながら、情報の記録再生を行うために、安定化板１０２に対向して配置される集光手段（対物レンズ群）を含む光ピックアップ１０３が、可撓性を有する光ディスク１０１に近接することにより、光ピックアップ１０３と光ディスク１０１との間に圧力変動が発生し、光学ピックアップ１０３周辺において、圧力変動に伴う光ディスク１０１のバタツキが発生し、良好な記録再生を行うことが困難となる。
【００１１】
すなわち、上記構成の場合、光ピックアップ１０３の光ディスク１０１に対向する面がレンズ素子等の集光手段を有する面となり、比較的凹凸の大きな面となるため、光ピックアップ１０３が光ディスク１０１に近接することにより、光ピックアップ１０３と光ディスク１０１との間に圧力変動が発生し、光学ピックアップ１０３周辺において、圧力変動に伴う光ディスク１０１のバタツキが発生し、安定なフォーカシング動作を維持することができず、良好な記録再生を行うことが困難となる。
【００１２】
図１４に示される構成の場合も同様に、光ピックアップ１０３が、可撓性を有する光ディスク１０１に近接することにより、良好な記録再生を行うことが困難となる。
【００１３】
したがって、信号記録容量の増加と信号転送速度の高速化とを目的に、両面ディスクの表裏両面を同時に記録・再生出来るようにした両面記録媒体の記録再生装置に対して、上記構成を適用しても、良好な記録再生を行うことは同様に困難である。
【００１４】
本発明は、上記の課題に鑑みなされたものであり、その目的は、可撓性を有する両面記録媒体に対して、回転時の面振れを抑制して、良好な記録再生を実現する記録再生装置、および、該記録再生装置で使用される両面記録媒体のカートリッジを提供することにある。
【００１５】
【課題を解決するための手段】
本発明に係る両面記録媒体のカートリッジは、上記の課題を解決するために、記録再生装置で使用される両面記録媒体が収納されたカートリッジであって、前記記録再生装置は、表裏両面に情報の記録が可能であり、かつ、可撓性を有する両面記録媒体に対して情報の記録または再生を行うものであるとともに、前記両面記録媒体を回転駆動する回転駆動手段と、前記両面記録媒体の両面にそれぞれ対向するように配され、光源からの光を該両面記録媒体上に集光する一対の集光手段と、前記一対の集光手段のそれぞれと前記両面記録媒体との間に配され、該一対の集光手段のそれぞれに直接的または間接的に固定された一対の安定化板とを備えており、前記一対の安定化板は、透明であるとともに、前記光の光路上に開口部が設けられていないものであり、前記両面記録媒体の両面にそれぞれ対向するように配された一対の安定化板が、前記カートリッジの２つの壁面で構成され、前記両面記録媒体と前記カートリッジの２つの壁面との距離が、それぞれ１０μｍ以上２００μｍ以下であることを特徴としている。
【００１６】
また、本発明に係る記録再生装置は、上記の課題を解決するために、表裏両面に情報の記録が可能であり、かつ、可撓性を有する両面記録媒体に対して情報の記録または再生を行う記録再生装置において、前記両面記録媒体を回転駆動する回転駆動手段と、
前記両面記録媒体の両面にそれぞれ対向するように配され、光源からの光を該両面記録媒体上に集光する一対の集光手段と、前記一対の集光手段のそれぞれと前記両面記録媒体との間に配され、該一対の集光手段のそれぞれに直接的または間接的に固定された一対の安定化板とを備えており、前記両面記録媒体は、カートリッジに収納されており、前記両面記録媒体の両面にそれぞれ対向するように配された一対の安定化板が前記カートリッジの２つの壁面で構成されており、前記両面記録媒体と前記カートリッジの２つの壁面との距離が、それぞれ１０μｍ以上２００μｍ以下であり、前記両面記録媒体が前記カートリッジに収納された状態で前記記録再生装置で使用されることを特徴している。
【００１７】
本発明に係る記録再生装置は、上記の課題を解決するために、表裏両面に情報の記録が可能であり、かつ、可撓性を有する両面記録媒体に対して情報の記録または再生を行う記録再生装置において、前記両面記録媒体を回転駆動する回転駆動手段と、前記両面記録媒体の両面にそれぞれ対向するように配され、光源からの光を該両面記録媒体上に集光する一対の集光手段と、前記一対の集光手段のそれぞれと前記両面記録媒体との間に配され、該一対の集光手段のそれぞれに直接的または間接的に固定された一対の安定化板（第１の安定化板）とを備えている。
【００１８】
上記構成によれば、可撓性を有する両面記録媒体（例えば、両面光ディスク）が２枚の安定化板の間に挟まれ、両面記録媒体と一方の安定化板との間の空気圧力と、両面記録媒体と他方の安定化板との間の空気圧力とが釣り合う状態で両面記録媒体が回転することにより、（光ピックアップ等に含まれる）上記一対の集光手段の周辺において発生する圧力変動を抑制することが可能となり、可撓性を有する両面記録媒体の回転時の面振れが抑制されることにより、良好な記録再生を実現することができる。
【００１９】
なお、上記「一対の集光手段のそれぞれに直接的または間接的に固定された」とは、一対の安定化板が、集光手段に直接結合し固定された構成であってもよいし、アクチュエーターや光ピックアップ筐体などの他の部材を介して間接的に結合し固定された構成であってもよい、ことを意味する。
【００２０】
本発明に係る記録再生装置は、表裏両面に情報の記録が可能であり、かつ、可撓性を有する両面記録媒体に対して情報の記録または再生を行う記録再生装置において、前記両面記録媒体を回転駆動する回転駆動手段と、前記両面記録媒体の両面にそれぞれ対向するように配され、光源からの光を該両面記録媒体上に集光する一対の集光手段と、前記一対の集光手段のそれぞれと前記両面記録媒体との間に配され、該一対の集光手段のそれぞれに直接的または間接的に固定された一対の安定化板とを備えており、前記一対の安定化板は、透明であり、前記光の光路上に開口部が設けられていないことが好ましい。これによって、安定化板に開口部を設ける必要がなくなるので、ディスクの回転に伴うディスク近傍の圧力変動を良好に抑止することができる。
【００２１】
ただし、前記一対の安定化板が、集光手段と両面記録媒体との間の記録再生のための光路上に開口部を有する構成であってもよい。このように、記録再生のための光路上に安定化板が配置されない構成とすることによって、安定化板は透明である必要がなくなり、材料選択の幅が広がる等の利点がある。
【００２２】
両面記録媒体としては、例えば、一対の光ディスクを貼り合わせてなる可撓性を有する貼り合わせ型光ディスクが挙げられるが、これ以外の構成であってもよい。
【００２３】
本発明の記録再生装置において、前記一対の安定化板が、前記一対の集光手段のそれぞれにバネ等の弾性部材を介して間接的に固定されている構成とすることは好ましい。これにより、可撓性を有する両面記録媒体の回転時の面振れが抑制されることにより、良好な記録再生を実現することができると共に、可撓性を有する両面記録媒体と安定化板とが接触することによる両面記録媒体の損傷を抑制することが可能となる。
【００２４】
また、本発明の記録再生装置において、前記一対の集光手段が、２つ以上のレンズを組み合わせたレンズ群により構成されることは好ましい。これにより、レンズ群を用いて集光手段の開口数ＮＡを大きくすることにより、高密度記録再生に適した記録再生装置を提供することが可能となる。
【００２５】
また、本発明の記録再生装置において、前記一対の安定化板が、磁界発生素子を備えている構成、例えば、一対の安定化板のそれぞれに磁界発生素子が埋め込まれている構成とすることは好ましい。これにより、光磁気記録媒体のように、記録に磁界が必要な記録媒体を用いた両面記録媒体に対しても、本発明の記録再生装置を適用することが可能となる。
【００２６】
また、本発明の記録再生装置において、さらに、前記両面記録媒体の少なくとも一方の面に対向するように配された安定化板（第２の安定化板）を備える構成とすることは好ましい。このように安定化板を備えることにより、可撓性を有する両面記録媒体の回転時の面振れがさらに抑制されることにより、より安定して良好な記録再生を実現することができる。
【００２７】
また、本発明に係る両面記録媒体のカートリッジは、上記の課題を解決するために、上述した本発明のいずれかの記録再生装置で使用される両面記録媒体が収納されたカートリッジであって、前記両面記録媒体の少なくとも一方の面に対向するように配された安定化板（第３の安定化板）がカートリッジの１つの壁面で構成されている。
【００２８】
上記構成によれば、カートリッジの１つの壁面で構成された安定化板により、可撓性を有する両面記録媒体の回転時の面振れがさらに抑制されることにより、より安定して良好な記録再生を実現することができる。しかも、このように安定化板の機能をカートリッジの１つの壁面に持たせることにより、記録再生装置に同様の機能を有する安定化板が不要となる。
【００２９】
また、本発明に係る両面記録媒体のカートリッジは、上記の課題を解決するために、上述した本発明のいずれかの記録再生装置で使用される両面記録媒体が収納されたカートリッジであって、前記両面記録媒体の両面にそれぞれ対向するように配された一対の安定化板（第４の安定化板）がカートリッジの２つの壁面で構成されていることを特徴としており、好ましくは、前記両面記録媒体とカートリッジの２つの壁面との距離が、それぞれ１０μｍ以上２００μｍ以下である。
【００３０】
上記構成によれば、カートリッジの２つの壁面で構成された一対の安定化板により、可撓性を有する両面記録媒体の回転時の面振れがさらに抑制されることにより、より安定して良好な記録再生を実現することができる。しかも、このように安定化板の機能をカートリッジの２つの壁面に持たせることにより、記録再生装置に同様の機能を有する安定化板が不要となる。
【００３１】
【発明の実施の形態】
本発明の実施の一形態について図１〜図１２に基づいて説明すれば、以下のとおりである。
【００３２】
図１は、本実施形態に係る記録再生装置の概略構成を示す図であり、図２は、その記録再生部分である光ピックアップ部を拡大して示す図である。
【００３３】
本実施形態の記録再生装置は、両面記録媒体に対して記録再生を行う装置であり、両面記録媒体としては、例えば図１・２に示されるような、一対の光ディスクを貼り合わせてなる可撓性を有する貼り合わせ型の光ディスク１が挙げられる。ただし、本発明の記録再生装置は、両面記録媒体だけでなく、片面記録媒体に対しても記録再生することができる構成であってもよい。
【００３４】
本実施形態の記録再生装置は、図１に示されるように、スピンドル（回転駆動手段）３、一対の透明安定化板（一対の安定化板）５ａ・５ｂを有する光ピックアップ４ａ・４ｂ、および支持台６ａ・６ｂを備えた構成になっている。
【００３５】
上記各光ピックアップ４ａ・４ｂは、さらに図２に示されるように、対物レンズ（一対の集光手段）１２ａ・１２ｂ、レンズホルダー１３ａ・１３ｂ、２軸アクチュエーター１４ａ・１４ｂ、および光ピックアップ筐体１５ａ・１５ｂを備えた構成になっており、上記一対の透明安定化板５ａ・５ｂは、それぞれ光ピックアップ筐体１５ａ・１５ｂに固定されており、光ディスク１と対物レンズ１２ａ・１２ｂとの間に配置されている。
【００３６】
再び図１を参照して、光ディスク１は、磁性を有するセンターハブ２を有しており、磁気結合によりスピンドル３にチャッキングされる。光ディスク１は、図示しないモータ等によりスピンドル３を回転駆動することによって、回転駆動される。
【００３７】
透明安定化板５ａを有する光ピックアップ４ａは支持台６ａに固定され、透明安定化板５ａに対向する位置に配置された透明安定化板５ｂを有する光ピックアップ４ｂは支持台６ｂに固定されている。支持台６ａ・６ｂは、図示しないリニアモータにより矢符Ａ方向に駆動され、光ピックアップ４ａ・４ｂをそれぞれ光ディスク１の所定位置へと導く。
【００３８】
光ディスク１は、表裏両面に情報の記録が可能な両面記録媒体であれば、基板表面に凹部からなるピット列が形成されたＲＯＭディスクであってもよいし、記録媒体として有機色素材料が用いられた追記型の光ディスクであってもよいし、あるいは、記録媒体として相変化材料が用いられた書き換え可能型光ディスクであってもよい。
【００３９】
追記型および書き換え可能型光ディスクの場合には、光ディスク１は、例えば、図２に示されるように、表面に凹凸の案内溝が形成されたディスク基板７ａ・７ｂと、凹凸の案内溝を有する面に形成された記録媒体８ａ・８ｂと、ディスク基板７ａおよび記録媒体８ａとディスク基板７ｂおよび記録媒体８ｂとを接着する接着樹脂層９とで構成することができる。
【００４０】
光ディスク１を記録再生する際には、光ディスク１の記録媒体８ａ・８ｂに対して、それぞれ発光検出光学系１０ａ・１０ｂ内の発光素子（光源）からのレーザ光１１ａ・１１ｂが対物レンズ１２ａ・１２ｂにより集光照射され、記録媒体８ａ・８ｂからの反射光の状態が発光検出光学系１０ａ・１０ｂ内の受光素子により検出されることにより、情報の記録再生が行われる。
【００４１】
対物レンズ１２ａ・１２ｂは、それぞれレンズホルダー１３ａ・１３ｂに固定されており、レンズホルダー１３ａ・１３ｂがそれぞれ光ピックアップ筐体１５ａ・１５ｂに対して、２軸アクチュエーター１４ａ・１４ｂを介して固定されることにより、対物レンズ１２ａ・１２ｂは、光ディスク１の凹凸の案内溝に対して、フォーカシング駆動およびトラッキング駆動される。
【００４２】
なお、レーザ光１１ａの光ディスク１上での集光スポットとレーザ光１１ｂの光ディスク１上での集光スポットは、重なっていてもずれていてもどちらでもよい。
【００４３】
本実施形態の記録再生装置においては、光ディスク１が光ピックアップ筐体１５ａに固定された透明安定化板５ａと光ピックアップ筐体１５ｂに固定された透明安定化板５ｂとに挟まれた状態で回転駆動されることにより、光ディスク１と透明安定化板５ａとの間の空気圧力と、光ディスク１と透明安定化板５ｂとの間の空気圧力とが釣り合う状態で、可撓性を有する光ディスク１が安定に回転駆動されることになる。
【００４４】
つまり、光ディスク１が可撓性を有することから、光ディスク１が撓んで安定位置で回転することになり、光ディスク１は、透明安定化板５ａ・５ｂそれぞれに対して、ほぼ等間隔を維持して回転することになり、従来に比べて光軸方向へのディスク位置の変動が小さくなり、フォーカシングが容易となる。
【００４５】
このように、可撓性を有する光ディスク１は、透明安定化板５ａと透明安定化板５ｂとの間で、安定して回転駆動され面振れが抑えられているため、既存のサーボ技術を用いた２軸アクチュエーター１４ａ・１４ｂを用いても、良好なフォーカシングおよびトラッキングが実現し、十分に情報信号の記録再生が可能となる。
【００４６】
なお、一対の透明安定化板５ａ・５ｂは、対物レンズ１２ａ・１２ｂと光ディスク１との間の、レーザ光１１ａ・１１ｂの光路上を除く部分に配置される構成であってもよい。このように、記録再生のための光路上に透明安定化板５ａ・５ｂが配置されない構成とすることによって、透明安定化板５ａ・５ｂは透明である必要がなくなり、材料選択の幅が広がる等の利点がある。ただし、ディスクの回転に伴うディスク近傍の圧力変動を抑止するという観点からは、透明安定化板５ａ・５ｂにこのような開口部を設けない構成とするほうが好ましい。
【００４７】
図３は、本実施形態の記録再生装置の他の構成における光ピックアップ部を拡大して示す図である。同図に示される構成では、一対の透明安定化板５ａ・５ｂにそれぞれ記録磁界を印加するための磁気ヘッド（磁界発生素子）１６ａ・１６ｂが埋め込まれている。
【００４８】
上記構成によれば、両面記録媒体である光ディスク１として、光磁気記録媒体が用いられた場合にも、良好な記録再生が可能である。換言すれば、光磁気ディスクに対して記録を行うためには記録磁界が必要となるため、上記構成では、光ビーム１１ａ・１１ｂが集光される部分に記録磁界を印加することが可能となるように、それぞれ透明安定化板５ａ・５ｂに磁気ヘッド１６ａ・１６ｂが埋め込まれている。
【００４９】
ここで、両面記録の際に磁気ヘッド１６ａによる記録磁界と磁気ヘッド１６ｂによる記録磁界とが互いに影響を及ぼさないように、レーザ光１１ａの光ディスク１上での集光スポットとレーザ光１１ｂの光ディスク１上での集光スポットとは、ずれている必要があるため、光ピックアップ筐体１５ａ・１５ｂはそれぞれ片側の壁が厚くなるという構成になっている。
【００５０】
図３に示される構成において、磁気ヘッド１６ａ・１６ｂおよび光ピックアップ筐体１５ａ・１５ｂの厚さ以外の構成は、図２に示す構成と同一であり、可撓性を有する光ディスク１は、透明安定化板５ａと透明安定化板５ｂとの間で、安定して回転駆動され面振れが抑えられている。
【００５１】
そのため、既存のサーボ技術を用いた２軸アクチュエーター１４ａ・１４ｂを用いても、フォーカシングおよびトラッキングが可能となるとともに、透明安定化板５ａ・５ｂにそれぞれ埋め込まれた磁気ヘッド１６ａ・１６ｂから、光ビーム集光位置に記録磁界が印加されることにより、情報信号の記録再生が可能となる。
【００５２】
次に、図４は、本実施形態の記録再生装置のさらに他の構成を示す図であって、対物レンズの開口数ＮＡを大きくすることを目的として、対物レンズ１２ａ・１２ｂの代わりに、それぞれ２つのレンズを組み合わせたレンズ群１７ａ・１８ａとレンズ群１７ｂ・１８ｂとからなる構成、つまり、それぞれ２群レンズを使用した構成を示している。
【００５３】
上記構成では、記録媒体８ａ・８ｂとして光磁気記録媒体を用いた例を示しており、透明安定化板５ａ・５ｂに磁気ヘッド１６ａ・１６ｂがそれぞれ埋め込まれた構成となっている。
【００５４】
上記２群レンズは、２つのレンズ１７ａと１８ａ、１７ｂと１８ｂをそれぞれ組み合わせることにより、開口数ＮＡを大きくすることを可能としたレンズである。具体的には、この２群レンズの開口数ＮＡは、０．７以上であることが望ましく、より好ましくは、０．８〜０．９５程度とする。なお、単レンズを用いても開口数を大きくすることは可能であるが、２群レンズとすることにより製造が容易となる。本実施形態のように、開口数ＮＡを０．７以上とするような場合には、２群レンズを用いることが好ましい。
【００５５】
上記構成によれば、光ディスク１と透明安定化板５ａとの間の空気圧力と、光ディスク１と透明安定化板５ｂとの間の空気圧力とが釣り合う状態で、光ディスク１が安定に回転駆動されることにより、安定なフォーカシング動作を維持することができ、良好な記録再生を行うことが可能となる。
【００５６】
図４に示される構成は、記録媒体８ａ・８ｂとして光磁気記録媒体が用いられ、磁気ヘッド１６ａ・１６ｂが透明安定化板５ａ・５ｂにそれぞれ埋め込まれた構成となっているが、記録媒体として有機色素材料が用いられた追記型の光ディスク、または、記録媒体として相変化材料が用いられた書き換え可能型光ディスクの場合、この磁気ヘッド１６ａ・１６ｂは不要である。
【００５７】
また、２群レンズに限らず、一対の集光手段にそれぞれ３枚以上のレンズ群を用いることも可能である。
【００５８】
次に、図５は、本実施形態の記録再生装置のさらに他の構成を示す図であって、図３に示される構成において、透明安定化板５ａ・５ｂが板バネ（弾性部材）１９ａ・１９ｂを介して光ピックアップ筐体１５ａ・１５ｂに固定されている構成を示している。
【００５９】
図３に示される構成においては、透明安定化板５ａ・５ｂが光ピックアップ筐体１５ａ・１５ｂにそれぞれ直接固定されているため、外部からの振動により透明安定化板５ａ・５ｂが振動した場合、光ディスク１が透明安定化板５ａ・５ｂの振動に伴い振動し、最悪の場合、光ディスク１が透明安定化板５ａ・５ｂに衝突し、光ディスク１の表面に傷等の損傷が発生してしまうおそれがある。
【００６０】
これに対して、図５に示される構成においては、透明安定化板５ａ・５ｂが板バネ１９ａ・１９ｂを介して光ピックアップ筐体１５ａ・１５ｂに固定されているため、外部からの振動により透明安定化板５ａ・５ｂが振動し、光ディスク１が透明安定化板５ａ・５ｂの振動に伴い振動した場合においても、板バネ１９ａ・１９ｂが光ディスク１の振動を吸収すべく働くため、外部振動に伴う光ディスク１と透明安定化板５ａ・５ｂとの衝突による光ディスク１の損傷を抑制することが可能となる。
【００６１】
なお、図５には、図２に示される構成に対して、板バネ１９ａ・１９ｂを用いた場合について示しているが、図４に示すような集光手段に２群レンズを用いた構成、あるいは３つ以上のレンズを組み合わせたレンズ群を用いた構成においても、透明安定化板５ａ・５ｂを板バネ１９ａ・１９ｂを介して光ピックアップ筐体１５ａ・１５ｂにそれぞれ固定することにより、同様な効果を得ることが可能となる。
【００６２】
次に、図６および図７は、本実施形態の記録再生装置のさらに他の構成を示す図であって、可撓性を有する光ディスク１の回転駆動をさらに安定化することを目的として、光ディスク１の一方の面に対向するように配された安定化板２０を備えた構成について説明する断面図と平面図である。
【００６３】
安定化板２０は、光ディスク１のセンターハブ２をスピンドル３にチャックするための第１開口部２２と、透明安定化板５ａを有する光ピックアップ４ａを光ディスク１に近接配置するための第２開口部２１ａとを有しており、図６は、第２開口部２１ａを通る中心線における断面図を示している。
【００６４】
このように安定化板２０を設けることにより、センターハブ２に固定された可撓性を有する光ディスク１が、スピンドル３により回転駆動されることにより、可撓性を有する光ディスク１と安定化板２０とにより挟まれる空間が減圧状態となり、光ディスク１が安定化板２０に吸い寄せられ、安定化板２０と一定の間隔を保ちながら安定して回転することが可能となり、光ディスク１の回転時の面振れがさらに抑制されることになる。
【００６５】
図６および図７に示す構成では、図１および図２に示す構成と同様に、支持台６ａと支持台６ｂとに適切な力をかけ、透明安定化板５ａと透明安定化板５ｂとを光ディスク１の方向に押圧させることにより、光ディスク１と透明安定化板５ａとの間の空気圧力と、光ディスク１と透明安定化板５ｂとの間の空気圧力とが釣り合う状態で、光ディスク１が安定に回転駆動されるが、透明安定化板５ａ・５ｂから離れた位置での回転駆動が安定化されることにより、透明安定化板５ａと透明安定化板５ｂとで挟まれた位置において、より安定した回転駆動が実現し、より良好な記録再生を実現することが可能となる。
【００６６】
次に、図８および図９は、本実施形態の両面記録媒体のカートリッジの構成を示す図であって、可撓性を有する光ディスク１の回転駆動をさらに安定化することを目的として、安定化板２０を記録再生装置に設けた図６および図７に示す構成に対して、安定化板２０を光ディスクカートリッジケース２３と一体的に形成した構成について説明する断面図と平面図である。
【００６７】
両面記録媒体のカートリッジである光ディスクカートリッジケース２３は、光ディスク１のセンターハブ２をスピンドル３にチャックするための第１開口部２２と、透明安定化板５ａを有する光ピックアップ４ａを光ディスク１に近接配置するための第２開口部２１ａと、第２開口部２１ａに対向する位置に透明安定化板５ｂを有する光ピックアップ４ｂを光ディスク１に近接配置するための第３開口部２１ｂとを有しており、図８は、第２開口部２１ａおよび第３開口部２１ｂを通る中心線における断面図を示している。また、光ディスクカートリッジケース２３には、防塵の目的で、矢符Ｂ方向に開閉可能なスライドシャッター２４が設けられている。
【００６８】
上記構成の場合、安定化板２０が、光ディスクカートリッジケース２３の１つの壁面（内壁面）で構成されており、このように光ディスクカートリッジケース２３と一体的に形成された安定化板２０が、図６および図７に示す構成の安定化板２０と同様に働くことにより、光ディスク１は、透明安定化板５ａと透明安定化板５ｂとで挟まれた位置において、より安定した回転駆動が実現し、より良好な記録再生を実現することが可能となる。
【００６９】
さらに、光ディスク１が光ディスクカートリッジケース２３の中に配置され、かつ、光ディスクカートリッジケース２３を記録再生装置から取り出す際、開閉可能なスライドシャッター２４を閉めることにより、光ディスク１の防塵効果を向上させることができる。
【００７０】
次に、図１０および図１１は、本実施形態の両面記録媒体のカートリッジの他の構成を示す図であって、さらに安定な光ディスク１の回転駆動を実現するためと、薄型の光ディスクカートリッジを実現するために、新たに考案した光ディスクカートリッジケース２５の構成について説明する断面図と平面図である。
【００７１】
両面記録媒体のカートリッジである光ディスクカートリッジケース２５は、光ディスクカートリッジケース２３と同様に、光ディスク１のセンターハブ２をスピンドル３にチャックするための第１開口部２２と、透明安定化板５ａを有する光ピックアップ４ａを光ディスク１に近接配置するための第２開口部２１ａと、第２開口部２１ａに対向する位置に透明安定化板５ｂを有する光ピックアップ４ｂを光ディスク１に近接配置するための第３開口部２１ｂとを有しており、図１０は、第２開口部２１ａおよび第３開口部２１ｂを通る中心線における断面図を示している。また、光ディスクカートリッジケース２５には、防塵の目的で、矢符Ｂ方向に開閉可能なスライドシャッター２４が設けられている。
【００７２】
図８および図９に示す構成の場合、可撓性を有する光ディスク１が安定化板２０に吸い寄せられ、安定化板２０と一定の間隔を保ちながら安定して回転することが可能となり、光ディスク１の回転時の面振れが抑制されることになるが、可撓性を有する光ディスク１と安定化板２０を構成しない側の光ディスクカートリッジケース２３との距離が離れていると、外部からの振動等の影響を受けることにより、可撓性を有する光ディスク１が光ディスクカートリッジケース２３内の空間でバタツキを発生し、安定した回転駆動が阻害されるおそれがある。
【００７３】
図１０および図１１に示す構成においては、このようなバタツキを抑制するため、光ディスクカートリッジケース２５内の空間をディスク面の垂直方向に制限する構成になっている。このように光ディスクカートリッジケース２５内の空間を制限することにより、光ディスクカートリッジケース２５の上下の壁面（内壁面）が安定化板として働き、光ディスク１の回転時の面振れが抑制され、さらに安定な光ディスク１の回転駆動が可能となる。
【００７４】
ここで、透明樹脂からなる光ディスク１に可撓性を持たせるため、光ディスク１の厚さは２０μｍ以上２００μｍ以下とすることが望ましい。光ディスク１の厚さが２０μｍより薄くなると、光ディスク１が回転に耐える強度を維持することが困難となるおそれがあり、光ディスク１の厚さが２００μｍより厚くなると例えば光磁気ディスクの場合、磁気ヘッド１６a ・１６ｂからの記録磁界が記録媒体８a ・８ｂに対して影響を及ぼさなくなるおそれがあり、さらに光ディスク１の可撓性が弱くなり、安定化板による光ディスク１の回転時の面振れ抑制効果が低減してしまうおそれがある。
【００７５】
また、光ディスクカートリッジケース２５の上下の壁面（内壁面）を安定化板として良好に働かせるためには、光ディスク１と光ディスクカートリッジケース２５の上内壁との間の距離、および、光ディスク１と光ディスクカートリッジケース２５の下内壁との間の距離を、それぞれ、1 ０μｍ以上２００μｍ以下とすることが望ましい。
【００７６】
光ディスク１と光ディスクカートリッジケース２５の上下内壁との距離が１０μｍより小さくなると、光ディスク１が光ディスクカートリッジケース２５の上下内壁と衝突し、光ディスク１表面に傷が発生する可能性が大きくなる。
【００７７】
また、光ディスク１と光ディスクカートリッジケース２５の上下内壁との距離が２００μｍより大きくなると、もはや光ディスクカートリッジケース２５の上下内壁が安定化板として良好に働かなくなるおそれがあり、光ディスクカートリッジケース２５内の光ディスク１の回転が不安定なものとなってしまうおそれがある。
【００７８】
最後に、ローディングおよびアンローディングについて説明する。本実施形態の記録再生装置においては、透明安定化板５ａ・５ｂと光ディスク１とが近接して配置されるため、光ディスク１の記録再生装置へのローディングまたはアンローディングは、透明安定化板５ａ・５ｂと光ディスク１との間隔を広くした状態で行われることが望ましい。
【００７９】
特に、光ディスクカートリッジケース２３・２５を用いる場合、ローディングまたはアンローディングを行う際、一対の透明安定化板５ａ・５ｂの間隔を光ディスクカートリッジケース２３・２５の厚みよりも大きくすることが必要である。そこで、例えば図１２に示すように、光ディスクカートリッジケース２５に対して、透明安定化板５ａ・５ｂを、それぞれ、上下（矢符Ｃ方向）に駆動可能な図示しない駆動機構を本実施形態の記録再生装置に備えつけることにより、良好なローディングおよびアンローディングを実現することが可能である。
【００８０】
また、光ディスク１の停止状態で透明安定化板５ａ・５ｂを光ディスク１へと近接させると、光ディスク１と透明安定化板５ａ・５ｂとの間に空気圧力が働かない状態で、光ディスク１と透明安定化板５ａ・５ｂとが近接するため、光ディスク１と透明安定化板５ａ・５ｂとが接触し、光ディスク１に傷が発生する危険がある。したがって、ローディング時には、光ディスク１が回転駆動された後に、透明安定化板５ａ・５ｂと光ディスク１とが互いに近接するように、透明安定化板５ａ・５ｂまたは光ディスク１を矢符Ｄ方向に駆動することが望ましい。また、アンローディング時には、透明安定化板５ａ・５ｂを光ディスク１から相対的に離した後に、光ディスク１の回転駆動を停止することが望ましい。
【００８１】
【発明の効果】
本発明の記録再生装置は、以上のように、前記両面記録媒体を回転駆動する回転駆動手段と、前記両面記録媒体の両面にそれぞれ対向するように配され、光源からの光を該両面記録媒体上に集光する一対の集光手段と、前記一対の集光手段のそれぞれと前記両面記録媒体との間に配され、該一対の集光手段のそれぞれに直接的または間接的に固定された一対の安定化板とを備えており、前記一対の安定化板は、透明であり、前記光の光路上に開口部が設けられていない構成である。
【００８２】
それゆえ、可撓性を有する両面記録媒体が２枚の安定化板の間に挟まれ、両面記録媒体と一方の安定化板との間の空気圧力と、両面記録媒体と他方の安定化板との間の空気圧力とが釣り合う状態で両面記録媒体が回転することにより、上記一対の集光手段の周辺において発生する圧力変動を抑制することが可能となり、可撓性を有する両面記録媒体の回転時の面振れが抑制されることにより、良好な記録再生を実現することができる、という効果を奏する。
【００８３】
本発明の記録再生装置において、さらに、前記一対の安定化板が、前記一対の集光手段のそれぞれにバネ等の弾性部材を介して間接的に固定されている構成とすることで、可撓性を有する両面記録媒体の回転時の面振れが抑制されることにより、良好な記録再生を実現することができると共に、可撓性を有する両面記録媒体と安定化板とが接触することによる両面記録媒体の損傷を抑制することが可能となる、という効果を奏する。
【００８４】
また、本発明の記録再生装置において、さらに、前記一対の集光手段が、２つ以上のレンズを組み合わせたレンズ群により構成されることで、レンズ群を用いて集光手段の開口数ＮＡを大きくすることにより、高密度記録再生に適した記録再生装置を提供することが可能となる、という効果を奏する。
【００８５】
また、本発明の記録再生装置において、さらに、前記一対の安定化板が、磁界発生素子を備えている構成とすることで、光磁気記録媒体のように、記録に磁界が必要な記録媒体を用いた両面記録媒体に対しても、本発明の記録再生装置を適用することが可能となる、という効果を奏する。
【００８６】
また、本発明の記録再生装置において、さらに、前記両面記録媒体の少なくとも一方の面に対向するように配された安定化板を備える構成とすることで、可撓性を有する両面記録媒体の回転時の面振れがさらに抑制されることにより、より安定して良好な記録再生を実現することができる、という効果を奏する。
【００８７】
また、本発明に係る両面記録媒体のカートリッジは、本発明の記録再生装置で使用される両面記録媒体が収納されたカートリッジであって、前記両面記録媒体の少なくとも一方の面に対向するように配された安定化板がカートリッジの１つの壁面で構成されている。
【００８８】
それゆえ、カートリッジの１つの壁面で構成された安定化板により、可撓性を有する両面記録媒体の回転時の面振れがさらに抑制されることにより、より安定して良好な記録再生を実現することができる、という効果を奏する。
【００８９】
また、本発明に係る両面記録媒体のカートリッジは、本発明の記録再生装置で使用される両面記録媒体が収納されたカートリッジであって、前記両面記録媒体の両面にそれぞれ対向するように配された一対の安定化板がカートリッジの２つの壁面で構成されており、好ましくは、前記両面記録媒体とカートリッジの２つの壁面との距離が、それぞれ１０μｍ以上２００μｍ以下である。
【００９０】
それゆえ、カートリッジの２つの壁面で構成された一対の安定化板により、可撓性を有する両面記録媒体の回転時の面振れがさらに抑制されることにより、より安定して良好な記録再生を実現することができる、という効果を奏する。
【図面の簡単な説明】
【図１】  本発明の実施の一形態に係る記録再生装置の概略構成を示す断面図である。
【図２】  上記記録再生装置の光ピックアップ部を拡大して示す断面図である。
【図３】  本発明の実施形態に係る記録再生装置の他の構成を示す図であって、光ピックアップ部を拡大して示す断面図である。
【図４】  本発明の実施形態に係る記録再生装置のさらに他の構成を示す図であって、光ピックアップ部を拡大して示す断面図である。
【図５】  本発明の実施形態に係る記録再生装置のさらに他の構成を示す図であって、光ピックアップ部を拡大して示す断面図である。
【図６】  本発明の実施形態に係る記録再生装置のさらに他の構成を示す図であって、光ピックアップ部を拡大して示す断面図である。
【図７】  上記記録再生装置に設けられる安定化板を示す平面図である。
【図８】  本発明の実施形態に係る記録再生装置および両面記録媒体のカートリッジの概略構成を示す断面図である。
【図９】  上記両面記録媒体のカートリッジを示す平面図である。
【図１０】  本発明の実施形態に係る両面記録媒体のカートリッジの他の構成を記録再生装置と共に示す断面図である。
【図１１】  上記両面記録媒体のカートリッジを示す平面図である。
【図１２】  本発明の実施形態に係る記録再生装置における透明安定化板の移動等について説明する断面図である。
【図１３】  従来の記録再生装置を示す断面図である。
【図１４】  従来の記録再生装置を示す断面図である。
【符号の説明】
１  光ディスク（両面記録媒体）
３  スピンドル（回転駆動手段）
４ａ・４ｂ  光ピックアップ
５ａ・５ｂ  透明安定化板（一対の安定化板）
７ａ・７ｂ  光ディスク基板
８ａ・８ｂ  記録媒体
９  接着樹脂層
１２ａ・１２ｂ  対物レンズ（集光手段）
１６ａ・１６ｂ  磁気ヘッド（磁界発生素子）
１９ａ・１９ｂ  板バネ（弾性部材）
２０  安定化板
２３・２５  光ディスクカートリッジケース（カートリッジ）
【図１】
0004226230.tif 000002
【図２】
0004226230.tif 000003
【図３】
0004226230.tif 000004
【図４】
0004226230.tif 000005
【図５】
0004226230.tif 000006
【図６】
0004226230.tif 000007
【図７】
0004226230.tif 000008
【図８】
0004226230.tif 000009
【図９】
0004226230.tif 000010
【図１０】
0004226230.tif 000011
【図１１】
0004226230.tif 000012
【図１２】
0004226230.tif 000013
【図１３】
0004226230.tif 000014
【図１４】
0004226230.tif 000015